(57)【要約】【課題】内容物が吐出孔から垂れ落ちることを抑止した吐出ポンプを提供する。【解決手段】吐出ポンプ１Ａは、下方移動可能に配設されたステム２と、前方に突出するとともに吐出孔７３ａが形成されたノズル筒部７３を有するノズル部材７０と、ステム内に形成された収容室Ｓ１内に収容された逆止弁４と、ステムを上方付勢する付勢部材５と、を備え、ノズル部材は、ステムに対して下方に向けて弾性変位可能に設けられ、ノズル部材が押下されたときに、ノズル部材はステムに対して下方移動し、収容室と吐出孔との間の流路の内容積が減少する。【選択図】図１
2019064626.tif 000002
【特許請求の範囲】
【請求項１】
下方移動可能に配設されたステムと、
前記ステムの上端部に配設され、かつ前方に突出するとともに吐出孔が形成されたノズル筒部を有するノズル部材と、
前記ステム内に形成された収容室内に収容された逆止弁と、
前記ステムを上方付勢する付勢部材と、を備え、
前記ステムを下方移動させたときに、内容物が前記ステムを通じて前記吐出孔から吐出される吐出ポンプであって、
前記ノズル部材は、前記ステムに対して下方に向けて弾性変位可能に設けられ、
前記ノズル部材が押下されたときに、前記ノズル部材は前記ステムに対して下方移動し、前記収容室と前記吐出孔との間の流路の内容積が減少することを特徴とする、吐出ポンプ。
【請求項２】
前記ノズル部材が押下されたときに、前記流路の内容積を減少させた状態で、前記ノズル部材が前記ステムとともに下方移動することを特徴とする、請求項１に記載の吐出ポンプ。
【請求項３】
前記流路には、前記ノズル部材の内部に位置する吸引空間が含まれ、
前記ノズル部材の内部には、前記ノズル部材を前記ステムに対して上方付勢するノズル付勢体が設けられ、
前記ノズル付勢体が前記ノズル部材に作用させる上方付勢力は、前記付勢部材が前記ステムに作用させる上方付勢力よりも小さく、
前記ノズル部材が前記ステムに対して下方移動したときに、前記吸引空間の内容積が減少することを特徴とする、請求項１または２に記載の吐出ポンプ。
【請求項４】
前記ノズル部材を下方移動させるトリガー部材を備え、
前記トリガー部材は、前記吐出孔の下方に位置する操作部を有することを特徴とする、請求項１から３のいずれか１項に記載の吐出ポンプ。
【請求項５】
前記ステムに連係して上下動する空気用ピストンおよび液用ピストンと、
内部に前記空気用ピストンが上下摺動自在に設けられた空気用シリンダと、
内部に前記液用ピストンが上下摺動自在に設けられた液用シリンダと、を備え、
前記収容室内では、前記空気用シリンダから移送される空気と前記液用シリンダから移送される内容物とが混合され、
前記流路には、前記収容室内で混合された気液混合体を発泡させて内容物を泡状にする発泡部材が設けられていることを特徴とする、請求項１から４のいずれか１項に記載の吐出ポンプ。
【発明の詳細な説明】
【技術分野】
【０００１】
本発明は、吐出ポンプに関する。
【背景技術】
【０００２】
従来から、下記特許文献１に示されるような吐出ポンプが知られている。この吐出ポンプは、容器本体の口部に装着される装着キャップと、装着キャップ内に下方移動可能に立設されたステムと、前方に突出するとともに吐出孔が形成されたノズル筒部を有するノズル部材と、ステム内に収容された逆止弁と、ステムを上方付勢する付勢部材と、を備えている。この吐出ポンプは、上方付勢力に抗してステムが下方移動することで、容器本体内の内容物が吐出孔から吐出されるように構成されている。
【先行技術文献】
【特許文献】
【０００３】
【特許文献１】特開２００７−３１９７５９号公報
【発明の概要】
【発明が解決しようとする課題】
【０００４】
ところで、この種の吐出ポンプでは、内容物を吐出させた後、吐出孔の近傍に残留した内容物が、吐出孔から垂れ落ちてしまうおそれがあった。
【０００５】
本発明はこのような事情を考慮してなされたもので、内容物が吐出孔から垂れ落ちることを抑止した吐出ポンプを提供することを目的とする。
【課題を解決するための手段】
【０００６】
上記課題を解決するために、本発明の吐出ポンプは、下方移動可能に配設されたステムと、前記ステムの上端部に配設され、かつ前方に突出するとともに吐出孔が形成されたノズル筒部を有するノズル部材と、前記ステム内に形成された収容室内に収容された逆止弁と、前記ステムを上方付勢する付勢部材と、を備え、前記ステムを下方移動させたときに、内容物が前記ステムを通じて前記吐出孔から吐出される吐出ポンプであって、前記ノズル部材は、前記ステムに対して下方に向けて弾性変位可能に設けられ、前記ノズル部材が押下されたときに、前記ノズル部材は前記ステムに対して下方移動し、前記収容室と前記吐出孔との間の流路の内容積が減少することを特徴とする。
【０００７】
本発明の吐出ポンプによれば、ノズル部材はステムに対して下方に向けて弾性変位可能に設けられている。さらに、ノズル部材が押下されると、ノズル部材はステムに対して下方移動し、収容室と吐出孔との間の流路の内容積が減少する。このため、ステムが下降して内容物が吐出孔から吐出された後、ノズル部材に対する下方に向けた力が解除されると、ノズル部材がステムに対して上方に向けて復元変位する。このとき、収容室とノズル孔との間の流路の内容積が増大するため、この流路内が負圧となることでバックサクション作用が得られ、吐出孔の近傍の内容物がノズル部材内に向けて吸引される。従って、吐出孔から内容物が垂れ落ちるのを抑制することができる。
【０００８】
ここで、前記ノズル部材が押下されたときに、前記流路の内容積を減少させた状態で、前記ノズル部材が前記ステムとともに下方移動してもよい。
【０００９】
この場合、ステムが下方移動する際に、収容室と吐出孔との間の流路の内容積が減少した状態となるため、ステムが復元変位する際により確実に先述のバックサクション作用を生じさせることができる。
【００１０】
また、前記流路には、前記ノズル部材の内部に位置する吸引空間が含まれ、前記ノズル部材の内部には、前記ノズル部材を前記ステムに対して上方付勢するノズル付勢体が設けられ、前記ノズル付勢体が前記ノズル部材に作用させる上方付勢力は、前記付勢部材が前記ステムに作用させる上方付勢力よりも小さく、前記ノズル部材が前記ステムに対して下方移動したときに、前記吸引空間の内容積が減少してもよい。
【００１１】
この場合、ノズル部材の内部に設けられた吸引空間およびノズル付勢体が、上述したバックサクション作用を生じさせることとなり、吐出ポンプのかさ張りを抑えて、吐出ポンプをコンパクトにすることができる。また、ノズル付勢体による上方付勢力が付勢部材による上方付勢力よりも小さいことで、ステムの下方移動に先立って、ノズル部材をステムに対して確実に下方移動させることができる。これにより、内容物を吐出させた後で、上記したバックサクション作用をより確実に作動させることができる。
【００１２】
また、前記吐出ポンプは、前記ノズル部材を下方移動させるトリガー部材を備え、前記トリガー部材は、前記吐出孔の下方に位置する操作部を有してもよい。
【００１３】
この場合、トリガー部材の操作部が吐出孔の下方に位置したとしても、先述の通り吐出孔近傍の内容物が吸引されるため、吐出孔から内容物が垂れて操作部に付着するのを抑えることができる。
【００１４】
また、前記吐出ポンプは、前記ステムに連係して上下動する空気用ピストンおよび液用ピストンと、内部に前記空気用ピストンが上下摺動自在に設けられた空気用シリンダと、内部に前記液用ピストンが上下摺動自在に設けられた液用シリンダと、を備え、前記収容室内では、前記空気用シリンダから移送される空気と前記液用シリンダから移送される内容物とが混合され、前記流路には、前記収容室内で混合された気液混合体を発泡させて内容物を泡状にする発泡部材が設けられていてもよい。
【００１５】
この場合、内容物を泡状にして吐出孔から吐出させることができる。従来から、このような泡吐出ポンプでは、内容物として粘度の小さい液体が用いられている。内容物の粘度が小さいと、ノズル筒部内に留まっている泡状の内容物が液状に戻ったときに、この液状の内容物が吐出孔から垂れ落ちやすい状態となる。このような泡吐出ポンプに対して上述したようなバックサクション機能を付与することで、内容物の吐出後に、液状の内容物が吐出孔から垂れ落ちることを抑止することができる。
【発明の効果】
【００１６】
本発明によれば、内容物が吐出孔から垂れ落ちることを抑止した吐出ポンプを提供することができる。
【図面の簡単な説明】
【００１７】
【図１】第１実施形態に係る吐出ポンプを備えた吐出容器の縦断面図である。
【図２】図１の吐出ポンプの拡大図である。
【図３】（ａ）は図２のノズル付勢体近傍の拡大図であり、（ｂ）は（ａ）の下面図である。
【図４】図１の吐出ポンプの動作を説明する図である。
【図５】第１実施形態の変形例に係る吐出ポンプの縦断面図である。
【図６】第２実施形態に係る吐出ポンプの縦断面図である。
【図７】図６の吐出ポンプの動作を説明する図である。
【図８】第３実施形態に係る吐出ポンプの縦断面図である。
【図９】図７の吐出ポンプの動作を説明する図である。
【発明を実施するための形態】
【００１８】
（第１実施形態）
以下、第１実施形態の吐出ポンプについて図面に基づいて説明する。なお、以下の説明で用いる図面は、特徴をわかりやすくするために、便宜上特徴となる部分を拡大して示している場合があり、各構成要素の寸法比率などが実際と同じであるとは限らない。また、本発明は以下の実施形態に限定されない。
【００１９】
図１に示すように、吐出ポンプ１Ａは、容器本体３の口部に装着される装着キャップ３０と、内部に収容室Ｓ１が形成された筒状のステム２と、ノズル筒部７３を有するノズル部材７０と、収容室Ｓ１に収容された逆止弁４と、トリガー部材１００と、を備える。容器本体３は、有底筒状に形成されるとともに、内部に内容物が収容される。吐出ポンプ１Ａは、トリガー部材１００が操作された際に、ノズル部材７０がトリガー部材１００に押下され、ノズル部材７０とともにステム２が下方移動することで、容器本体３の内容物がノズル筒部７３の吐出孔７３ａから吐出されるように構成されている。
【００２０】
（方向定義）
ここで本実施形態では、ステム２、容器本体３の口部、および装着キャップ３０の各中心軸が共通の軸線上に配置されている。以下、この共通の軸線をポンプ軸Ｏといい、ポンプ軸Ｏに沿う方向を上下方向という。また、上下方向に沿う容器本体３の底部側を下方といい、ノズル部材７０側を上方という。
また、上下方向から見た平面視において、ポンプ軸Ｏに交差する方向を径方向といい、ポンプ軸Ｏ回りに周回する方向を周方向という。径方向のうち、ノズル筒部７３が延びる方向を前後方向という。前後方向のうち、ポンプ軸Ｏに対する吐出孔７３ａ側を前方といい、その反対側を後方という。上下方向および前後方向の双方に直交する方向を左右方向という。
【００２１】
吐出ポンプ１Ａはさらに、ステム２に連係して上下動する空気用ピストン２０および液用ピストン８０と、内部に空気用ピストン２０が上下摺動自在に設けられた空気用シリンダ１１と、内部に液用ピストン８０が上下摺動自在に設けられた液用シリンダ１６と、吐出ポンプ１Ａの流路内に設けられた発泡部材６０と、を備えている。吐出ポンプ１Ａは、空気用シリンダ１１から移送される空気と液用シリンダ１６から移送される内容物とを収容室Ｓ１内で混合して気液混合体とし、発泡部材６０によってこの気液混合体を発泡させることができる。すなわち、本実施形態の吐出ポンプ１Ａは、泡状の内容部を吐出孔７３ａから吐出させる泡吐出ポンプ（フォーマポンプ）である。
なお、空気用ピストン２０、液用ピストン８０、空気用シリンダ１１および液用シリンダ１６は、いずれもポンプ軸Ｏと同軸の筒状である。
【００２２】
（装着キャップ）
図２に示すように、装着キャップ３０は、平面視で環状の天壁部３１と、天壁部３１の外周縁から下方に延びる装着筒部３２と、天壁部３１の内周縁から上方に向けて延びる傾斜筒部３３と、傾斜筒部３３の上端部から下方に向けて延びるガイド筒部３４と、傾斜筒部３３およびガイド筒部３４の後方に配設されたトリガー支持部３５と、を備える。装着筒部３２の内周面には、容器本体３の口部に形成された雄ネジ部に螺着される雌ネジ部が形成されている。
【００２３】
トリガー支持部３５は、左右方向に間隔を空けて配置された一対の側壁部３５ａと、側壁部３５ａの後端同士を接続する後壁部３５ｂと、を備える。一対の側壁部３５ａはそれぞれ、傾斜筒部３３の外周面から後方に向けて突設されている。各側壁部３５ａの上端にはそれぞれ、上方に向けて突出する突出部３６が形成されている。一対の突出部３６の外側面にはそれぞれ、左右方向に延在する円柱状の揺動軸３７が突設されている。
【００２４】
（トリガー部材）
トリガー部材１００は、揺動軸３７を介してトリガー支持部３５に取り付けられており、この揺動軸３７回りで揺動可能に設けられている。
トリガー部材１００は、ノズル部材７０の上方に配設された天板部１０１と、天板部１０１の前端縁から前方に向けて斜め下方に延在する操作部１０２と、天板部１０１の左右両側の側端縁から各別に垂下された一対の側板部１０３と、を備える。
天板部１０１には、この天板部１０１を上下方向に貫通し、前後方向に延在する長孔部１０１ａが形成されている。長孔部１０１ａには、ノズル部材７０のノズル筒部７３が挿通されている。また、操作部１０２は、吐出孔７３ａの下方に位置しており、吐出ポンプ１Ａを操作する際に指などをかけるための指掛部分となっている。
【００２５】
側板部１０３の内側面には、ステム２を押し下げるための押下部１０４が設けられている。押下部１０４は、ステム２の上端部を左右両側から挟む一対の板状部材であり、押下部１０４の下端には、円弧状の押下切欠部１０４ａが形成されている。また、側板部１０３の後部には、トリガー支持部３５の揺動軸３７がその中心軸回りに摺動可能に挿通された軸孔部１０５が形成されている。
【００２６】
（ステム）
ステム２は、装着キャップ３０内に、上方付勢状態で下方移動可能に配設されている。ステム２は、空気用ピストン２０および液用ピストン８０に連係する下ステム５０と、下ステム５０の上端部に取り付けられた上ステム４０と、を備えている。なお、上ステム４０および下ステム５０は一体に形成されていてもよい。
上ステム４０は、上下方向に延びる連通筒部４１と、連通筒部４１の上端部から径方向外側に向けて延びる環状の吸引壁部４２と、吸引壁部４２の内周縁から上方に向けて延びるテーパ筒部４３と、吸引壁部４２の外周縁とテーパ筒部４３との間から上方に向けて延びる筒状の吸引ピストン４４と、連通筒部４１から下方に向けて延びる嵌合筒部４５と、を有している。
【００２７】
連通筒部４１の内部には、発泡部材６０が嵌合されている。連通筒部４１の内周面には、上下方向に延び、かつ発泡部材６０の上方に位置するステム内リブ４１ａが形成されている。ステム内リブ４１ａは、周方向に間隔を空けて複数形成されている。発泡部材６０がステム内リブ４１ａの下端部に突き当てられることで、発泡部材６０の上下方向の位置が決まっている。
【００２８】
テーパ筒部４３の内径は上下方向の全長にわたって同等となっており、テーパ筒部４３の外径は上方に向かうに従って漸次小さくなっている。吸引ピストン４４の外周面は、上方に向かうに従って漸次拡径している。嵌合筒部４５は、下ステム５０の上端部に外嵌されており、これによって上ステム４０が下ステム５０に固定されている。嵌合筒部４５とガイド筒部３４との間には、径方向の隙間が形成されている。嵌合筒部４５の外周面には、上下方向に延びる第１縦溝４５ａが形成され、嵌合筒部４５の内周面には、上下方向に延びる第２縦溝４５ｂが形成されている。第１縦溝４５ａおよび第２縦溝４５ｂはそれぞれ、周方向に間隔を空けて複数形成されている。嵌合筒部４５の下端部には、下方に向けて延びる外側摺動部４５ｃが形成されている。外側摺動部４５ｃと下ステム５０との間には、径方向の隙間が形成されている。
【００２９】
下ステム５０は、上下方向に延びる筒状に形成されている。下ステム５０には、フランジ部５１と、第１摺動部５２と、台座部５３と、が設けられている。フランジ部５１は、下ステム５０の外周面における上下方向中央部から径方向外側に向けて突出する環状に形成されている。第１摺動部５２は、下ステム５０の外周面に形成された、下ステム５０における他の部分よりも外径が大きい部分である。第１摺動部５２は、フランジ部５１から上方に向けて延びている。第１摺動部５２の外周面には、径方向内側に向けて窪むステム溝５２ａが形成されている。ステム溝５２ａは、第１摺動部５２の上下方向における全長にわたって形成されている。ステム溝５２ａは、周方向に間隔を空けて複数形成されている。
【００３０】
台座部５３は、下ステム５０の内周面から径方向内側に向けて突出する環状座部と、環状座部の内周縁から上方に突出する筒状座部と、を有している。上下方向において、台座部５３の下端部は、第１摺動部５２の上端部と同等の位置であり、フランジ部５１から上方に離れた位置に配置されている。下ステム５０内の空間のうち、台座部５３よりも上方に位置する部分が、先述の収容室Ｓ１となっている。収容室Ｓ1内には、球状の逆止弁４が配置されている。逆止弁４は、発泡部材６０の後述するケーシング６１と台座部５３との間で、上下動可能に設けられている。筒状座部の上面は、逆止弁４の形状に合わせて、下方に向けて凸の曲面状を呈している。なお、本実施形態の収容室Ｓ１は、液体の内容物と気体とを混合させる気液混合室として機能する。
【００３１】
（シリンダ部材）
本実施形態の吐出ポンプ１Ａは、空気用シリンダ１１および液用シリンダ１６が一体に形成されたシリンダ部材１０を備えている。なお、空気用シリンダ１１および液用シリンダ１６は別体であってもよい。
空気用シリンダ１１は、上方に向けて開口する有底筒状に形成されている。空気用シリンダ１１は、ステム２の径方向外側かつ容器本体３の口部の径方向内側に位置しており、ポンプ軸Ｏと同軸上に配置されている。空気用シリンダ１１の上端部には、径方向外側に向けて突出する環状の取付部１２が形成されている。取付部１２と容器本体３の口部との間には、環状のパッキンが配置されている。装着キャップ３０が容器本体３の口部に螺着される際、このパッキンが取付部１２と容器本体３との間で圧縮されることで、口部が密閉される。
【００３２】
空気用シリンダ１１には、この空気用シリンダ１１を径方向に貫通し、空気用シリンダ１１内と容器本体３内とを連通する第１空気孔１１ｃが形成されている。第１空気孔１１ｃは、空気用ピストン２０の後述する空気筒部２２と径方向で対向しており、空気筒部２２によって開放可能に閉塞されている。空気用ピストン２０が下方移動した際、第１空気孔１１ｃを通じて外気が容器本体３内に導入され、内容物が吸い上げられることによる容器本体３内の負圧が解消される。空気用シリンダ１１の底壁部１５は、径方向に延びる環状の水平部と、水平部の内周縁から径方向内側に向かうに従って漸次上方に向けて延びる傾斜部と、を有している。
【００３３】
液用シリンダ１６は、空気用シリンダ１１の底壁部１５における傾斜部の内周縁から下方に向けて延びている。図１に示すように、液用シリンダ１６の下端部には、下方に向かうに従って漸次縮径するテーパ部１７が設けられている。液用シリンダ１６の内面におけるテーパ部１７との接続部分には、上下方向に延びる縦リブ１６ａが形成されている。縦リブ１６ａは、周方向に間隔をあけて複数配置されている。テーパ部１７の下端には、下方へ向けて延びる垂下筒１８が形成されている。垂下筒１８内には、吸い上げパイプＰが嵌合されている。
【００３４】
液用ピストン８０は、下ステム５０の下端部に取り付けられている。液用ピストン８０は、下ステム５０内に嵌合された連結筒部８１と、下ステム５０よりも下方に配置され、かつ液用シリンダ１６の内周面に摺接する液筒部８２と、を備えている。連結筒部８１の上端部には、径方向内側に向けて突出する弁座部８１ａが形成されている。
液用ピストン８０と液用シリンダ１６との間には、付勢部材５が圧縮状態で配設されている。本実施形態における付勢部材５は、コイルばねである。付勢部材５は、液用ピストン８０を上方付勢状態で下方移動可能に支持している。
【００３５】
液用シリンダ１６、液用ピストン８０、および付勢部材５の径方向内側には、弁部材９０が設けられている。弁部材９０は、上下方向に延びる軸状に形成されている。弁部材９０の上端部には上部弁体９１が形成されており、弁部材９０の下端部には下部弁体９２が形成されている。
【００３６】
上部弁体９１は、中空逆円錐状に形成されている。上部弁体９１は、液用ピストン８０の弁座部８１ａに対して、該弁座部８１ａの上方から離間可能に着座している。上部弁体９１は、液用シリンダ１６内と下ステム５０内との連通及びその遮断を切替える切換弁である。
下部弁体９２は、液用シリンダ１６のテーパ部１７から上方に離間して配置される。下部弁体９２は、弁部材９０が下方移動したときに、テーパ部１７に当接して液用シリンダ１６の下端開口部を閉塞する。
【００３７】
（空気用ピストン）
図２に示すように、空気用ピストン２０は、下ステム５０の第１摺動部５２を囲繞する内筒部２１と、内筒部２１の径方向外側に位置する空気筒部２２と、内筒部２１と空気筒部２２とを連結する連結部２３と、を備える。
連結部２３は、多段の筒状に形成されており、内筒部２１および空気筒部２２の上下方向における中央部同士を、全周にわたって連結する。連結部２３によって、空気用シリンダ１１の内部が、上室１１ａと下室１１ｂとに分けられている。連結部２３には、この連結部２３を上下方向に貫通する第２空気孔２３ａが形成されている。第２空気孔２３ａは、連結部２３の上方に位置する上室１１ａと、連結部２３の下方に位置する下室１１ｂと、を連通させる。
【００３８】
内筒部２１は、下ステム５０の第１摺動部５２に対して、上下摺動自在に嵌合している。内筒部２１の下端は、フランジ部５１に対して上方から当接している。内筒部２１がフランジ部５１に当接することにより、ステム溝５２ａを通じた収容室Ｓ１と下室１１ｂとの連通が遮断される。内筒部２１は、フランジ部５１に対して上方へ離間可能である。
内筒部２１の上端部には、上方に向けて延びる筒状の内側摺動部２４が形成されている。内側摺動部２４は、下ステム５０の第１摺動部５２と上ステム４０の外側摺動部４５ｃとの間の隙間に位置している。内側摺動部２４は、外側摺動部４５ｃに対して摺動する。内側摺動部２４と上ステム４０の嵌合筒部４５との間には、上下方向の隙間が形成されている。また、外側摺動部４５ｃと連結部２３との間にも、上下方向の隙間が形成されている。このため、内側摺動部２４と嵌合筒部４５とが接触するまで、空気用ピストン２０に対するステム２の下方移動が許容されている。
【００３９】
内筒部２１には、外気導入弁２６が突設された弁筒２５が取り付けられている。弁筒２５は、内筒部２１の外周面のうち、連結部２３との接続部分よりも下方に位置する部分に外嵌されている。外気導入弁２６は、弁筒２５の下端部から径方向外側に向けて突出しており、平面視で環状に形成されている。外気導入弁２６は、上下方向に弾性変形可能である。外気導入弁２６は、第２空気孔２３ａを下方から開放可能に閉塞し、上室１１ａと下室１１ｂとの連通を遮断する。外気導入弁２６の外周端部は、連結部２３の下面に離間可能に当接する。
【００４０】
（発泡部材）
発泡部材６０は、筒状のケーシング６１と、ケーシング６１内に装着された２つの発泡エレメント６２と、を備える。ケーシング６１は、発泡エレメント６２が収容される大径部と、大径部の下方に位置する小径部と、大径部と小径部とを接続する段部と、を備える。大径部は上ステム４０内に嵌合しており、小径部は下ステム５０内に嵌合している。小径部の外周面および段部の下面には、ケーシング溝６３が形成されている。ケーシング溝６３は、上ステム４０の第２縦溝４５ｂ内と収容室Ｓ１とを連通させている。上ステム４０の第１縦溝４５ａ、下ステム５０のステム溝５２ａ、およびケーシング溝６３は、空気用シリンダ１１内と収容室Ｓ１内とを連通させる空気通路となっている。
【００４１】
２つの発泡エレメント６２はそれぞれ、筒体の一端開口部に、所定の粗さの網目を有するメッシュ部材が張設された構成を有している。２つの発泡エレメント６２は、上下に２段に重なった状態で、ケーシング６１における大径部の内側に装着されている。この際、２つの発泡エレメント６２のうち、下側に位置する発泡エレメント６２のメッシュ部材は下側を向き、上側に位置する発泡エレメント６２のメッシュ部材は上側を向くように配置されている。
【００４２】
（ノズル部材）
ノズル部材７０は、上ステム４０の上端部に配設されている。ノズル部材７０は、周壁部７１および頂壁部７２を有する有頂筒状に形成されるとともに、周壁部７１の上端から前方に突設されたノズル筒部７３を有している。ノズル筒部７３は、前方に向かうに従って、漸次上方に向けて延びている。ノズル筒部７３の先端に形成された吐出孔７３ａは、前方に向けて開口している。周壁部７１の外周面には、径方向外側に向けて延びる一対の被押下部７４が形成されている。一対の被押下部７４はそれぞれ、左右方向に延びている。各被押下部７４の上面は、上方に向けて凸の曲面状を呈しており、トリガー部材１００の押下切欠部１０４ａに当接している。
【００４３】
ノズル部材７０の内部には、吐出孔７３ａおよび収容室Ｓ１の双方に連通する吸引空間Ｓ２が設けられている。吸引空間Ｓ２は、吐出ポンプ１Ａにおける、収容室Ｓ１と吐出孔７３ａとの間の流路に含まれている。吸引空間Ｓ２は、ノズル部材７０の周壁部７１および頂壁部７２と、ステム２の吸引壁部４２、吸引ピストン４４、およびテーパ筒部４３と、により形成されている。
また、ノズル部材７０の内部には、頂壁部７２から下方に向けて延び、かつ周壁部７１の径方向内側に位置する中筒部７５と、中筒部７５から下方に向けて延びるノズル付勢体７６と、が形成されている。
【００４４】
ノズル部材７０の周壁部７１は、上ステム４０の吸引壁部４２および吸引ピストン４４を径方向外側から囲繞している。周壁部７１の内周面には、第２摺動部７１ａおよび抜け止め部７１ｂが形成されている。第２摺動部７１ａは、ノズル筒部７３の後端部から周壁部７１の上下方向中央部にかけて、上下方向に延びている。抜け止め部７１ｂは、第２摺動部７１ａに対して上下方向に間隔を空けて配置されている。抜け止め部７１ｂは、周壁部７１の下端部から径方向内側に突出している。第２摺動部７１ａはステム２の吸引壁部４２よりも上方に位置しており、抜け止め部７１ｂは吸引壁部４２よりも下方に位置している。
【００４５】
第２摺動部７１ａおよび抜け止め部７１ｂの径方向内端部は、吸引壁部４２の外周縁よりも径方向の内側に位置している。この構成により、ノズル部材７０がステム２に対して上下動可能となっており、ノズル部材７０のステム２に対する所定量以上の上下動が吸引壁部４２によって規制されている。第２摺動部７１ａの内周面には、ステム２の吸引ピストン４４における上端部が気密に当接している。第２摺動部７１ａおよび吸引ピストン４４は、気密状態を保ったまま、互いに上下方向に摺動する。
【００４６】
図３（ａ）、（ｂ）に示すように、ノズル付勢体７６は、周方向に間隔を空けて複数形成されている。複数のノズル付勢体７６は、１つの円筒形状が部分的に切り欠かれた形状を有しており、各ノズル付勢体７６の内径、外径、および上下方向における長さは互いに同等である。上下方向において、各ノズル付勢体７６の下端部は、テーパ筒部４３の上端部よりも下方に位置している。各ノズル付勢体７６の内径は、テーパ筒部４３の上端部における外径よりも大きい。各ノズル付勢体７６は、テーパ筒部４３の上端部を径方向外側から囲繞しており、テーパ筒部４３の外周面に当接している。ノズル付勢体７６は、ノズル部材７０がステム２に対して下方移動したときに、テーパ筒部４３の外周面に沿って径方向外側に向けて弾性変形する。ノズル付勢体７６の弾性変形に伴って、ノズル部材７０には上方付勢力が作用する。ノズル付勢体７６による上方付勢力は、付勢部材５による上方付勢力よりも小さい。
【００４７】
次に、以上のように構成された吐出ポンプ１Ａの作用について説明する。なお、液用シリンダ１６内には、容器本体３の内容物が予め吸い上げられているものとする。
【００４８】
吐出ポンプ１Ａを使用する際、先ず、トリガー支持部３５とともに、トリガー部材１００の操作部１０２を握る等の操作によって、揺動軸３７を中心としてトリガー部材１００を下方に向けて揺動させる。これにより、押下切欠部１０４ａの内面と被押下部７４の上面とが摺動しつつ、押下部１０４が被押下部７４を下方に押し下げる。すなわち、トリガー部材１００の操作により、ノズル部材７０が押下される。このとき、ノズル部材７０がステム２に対して下方移動するのに伴い、図４（ａ）に示すように、ノズル付勢体７６がテーパ筒部４３の外周面に沿って径方向外側に弾性変形する。さらに、吸引ピストン４４が第２摺動部７１ａに対して摺動し、吸引空間Ｓ２の内容積が減少することで、吐出孔７３ａと収容室Ｓ１との間の流路の内容積が減少する。ノズル部材７０がステム２に対して所定量下方移動すると、第２摺動部７１ａの下端部がステム２の吸引壁部４２に当接し、ノズル部材７０に作用する下方に向けた力がステム２に伝えられる。
【００４９】
図４（ｂ）に示すように、ノズル部材７０とともにステム２が下方移動すると、液用ピストン８０もステム２と一体となって下方移動する。このとき、空気用ピストン２０の内筒部２１が、ステム２の第１摺動部５２の外周面上を摺動する。また内側摺動部２４が、外側摺動部４５ｃの内周面上を摺動する。これにより、空気用シリンダ１１に対する空気用ピストン２０の上下方向の位置が保持された状態で、ステム２が空気用ピストン２０に対して下方移動し、内筒部２１がフランジ部５１から上方に離間する。この結果、ステム溝５２ａ、第２縦溝４５ｂ、およびケーシング溝６３を通じて、下室１１ｂと収容室Ｓ１とが連通する。
【００５０】
さらに、内側摺動部２４の上端部と嵌合筒部４５の下端部とが当接するまでトリガー部材１００を操作すると、ステム２とともに空気用ピストン２０が下方移動し、空気用ピストン２０の空気筒部２２が、空気用シリンダ１１の内周面上を下方に向けて摺動する。このとき、外気導入弁２６は連結部２３の下面に当接した状態であり、第２空気孔２３ａは外気導入弁２６によって閉塞されている。このため、下室１１ｂ内の空気が圧縮され、この空気が、ステム溝５２ａ、第２縦溝４５ｂ、およびケーシング溝６３を通じて、収容室Ｓ１に移送される。
【００５１】
また、上述した過程において、液用ピストン８０の下方移動に伴って弁部材９０も下方移動し、弁部材９０の下部弁体９２が液用シリンダ１６のテーパ部１７に当接して、液用シリンダ１６の下端開口が閉塞される。液用ピストン８０がさらに下方移動すると、液用ピストン８０の弁座部８１ａが弁部材９０の上部弁体９１から下方に離間する。これにより、液用シリンダ１６内と下ステム５０内とが連通する。さらに液用ピストン８０が下方移動すると、液用シリンダ１６の下端開口が閉塞されていることから、液用シリンダ１６の内圧が上昇し、液用シリンダ１６内の内容物が下ステム５０内を流動して逆止弁４を押し上げる。以上の作用により、逆止弁４を台座部５３から上方に離間させて、内容物を収容室Ｓ１内に移送することができる。
【００５２】
収容室Ｓ１に移送された空気および内容物は、収容室Ｓ１で合流して混合され、気液混合体となる。この気液混合体は、発泡部材６０のケーシング６１内に移送され、下方の発泡エレメント６２のメッシュ体および上方の発泡エレメント６２のメッシュ体をこの順に通過し発泡させられて、泡体（泡状の内容物）となる。泡体は、連通筒部４１内、吸引空間Ｓ２内、およびノズル筒部７３内を通過し、吐出孔７３ａから外部に吐出される。
【００５３】
次いで、トリガー部材１００の操作を停止すると、付勢部材５の弾性復元力により、液用ピストン８０が上方へ押し上げられる。これにより、液用ピストン８０の弁座部８１ａが弁部材９０の上部弁体９１に当接し、弁座部８１ａと上部弁体９１との間の隙間が閉じられて、収容室Ｓ１への内容物の移送が停止される。
また、液用ピストン８０とともにステム２が上方移動し、フランジ部５１が空気用ピストン２０の内筒部２１に当接することで、下室１１ｂと収容室Ｓ１との連通が遮断されて、収容室Ｓ１への空気の移送が停止される。さらに、付勢部材５の弾性復元力がフランジ部５１を介して空気用ピストン２０に伝えられ、空気用ピストン２０も上方移動する。これにより、下室１１ｂ内が負圧状態となり、外気導入弁２６が下方に弾性変形させられて、第２空気孔２３ａが開放される。これにより、嵌合筒部４５とガイド筒部３４との間の隙間および第２空気孔２３ａを通して、下室１１ｂ内に外気が導入される。下室１１ｂの内圧が吐出前の状態に戻ると、外気導入弁２６が再び第２空気孔２３ａを閉塞する。
【００５４】
また、液用ピストン８０が液用シリンダ１６内を上方移動することで、液用シリンダ１６内は減圧されて負圧状態となるため、吸い上げパイプＰを通じて容器本体３内の内容物が液用シリンダ１６内に導入される。これにより、次回の吐出に備えることができる。
【００５５】
また、図４（ｃ）に示すように、トリガー部材１００の操作の停止に伴い、ノズル付勢体７６が生じさせる上方付勢力によって、ノズル部材７０がステム２に対して上方移動する。この結果、ノズル部材７０内の吸引空間Ｓ２の内容積が増大する。吸引空間Ｓ２の内容積、すなわち吐出孔７３ａと収容室Ｓ１との間の流路の内容積が増大すると、この流路内が負圧になることでバックサクション作用が得られ、吐出孔７３ａ近傍の内容物が吸引空間Ｓ２に向けて吸引される。これにより、吐出孔７３ａ近傍の内容物がノズル筒部７３の先端から垂れ落ちることが抑制される。
トリガー部材１００の操作および操作の解除を繰り返すと、以上の一連の作用により、吐出孔７３ａを通じた泡状の内容物の吐出および内容物の吸引空間Ｓ２に向けた吸引が繰り返される。
【００５６】
以上説明したように、本実施形態の吐出ポンプ１Ａでは、ノズル部材７０が、ステム２に対して下方に向けて弾性変位可能に設けられている。また、ノズル部材７０が押下されたときに、ノズル部材７０がステム２に対して下方移動し、収容室Ｓ１と吐出孔７３ａとの間の流路の内容積を減少させた状態で、ノズル部材７０がステム２とともに下方移動する。この構成により、ノズル部材７０の復元変位に伴ってバックサクション作用が生じ、吐出孔７３ａ近傍の内容物が吸引される。従って、吐出孔７３ａから内容物が垂れ落ちることを抑止することができる。
【００５７】
また、バックサクション作用を生じさせる吸引空間Ｓ２およびノズル付勢体７６が、ノズル部材７０の内部に設けられていることで、吐出ポンプ１Ａのかさ張りが抑えられて吐出ポンプ１Ａをコンパクトにすることができる。
また、ノズル付勢体７６による上方付勢力が、付勢部材５による上方付勢力よりも小さいことで、ステム２の下方移動に先立って、ノズル部材７０をステム２に対して下方移動させることができる。これにより、内容物を吐出させた後で、上記したバックサクション作用を確実に作動させて、内容物が垂れ落ちることをより確実に抑制することができる。
【００５８】
また、トリガー部材１００の操作部１０２が吐出孔７３ａの下方に位置しているが、このような配置であっても、バックサクション作用により吐出孔７３ａ近傍の内容物が吸引されるため、吐出孔７３ａから内容物が垂れて操作部１０２に付着するのを抑えることができる。
【００５９】
また、本実施形態の吐出ポンプ１Ａは、収容室Ｓ１が気液混合室として機能し、内容物を泡状にして吐出させる泡吐出ポンプである。従来から、このような泡吐出ポンプでは、内容物として粘度の小さい液体が用いられている。内容物の粘度が小さいと、ノズル筒部７３内に留まっている泡状の内容物が液状に戻ったときに、この液状の内容物が吐出孔７３ａから垂れ落ちやすい状態となる。さらに、泡吐出ポンプでは、泡をスムーズに吐出させるために吐出孔７３ａの内径が比較的大きく設計される場合がある。吐出孔７３ａの内径が大きいと、吐出される泡の勢いが小さくなり、吐出孔７３ａ近傍に内容物が残留し易くなり、吐出孔７３ａから内容物が垂れ落ちやすい状態となる。このような泡吐出ポンプに対して上述したようなバックサクション機能を付与することで、泡をスムーズに吐出させつつ、吐出後に内容物が垂れ落ちることを抑止することができる。
【００６０】
なお、上記実施形態では、吸引ピストン４４などが上ステム４０と一体に形成されていたが、これらは別体に形成されていてもよい。例えば、図５に示すように、連通筒部４１の上端に、上ステム４０と別体の吸引部材１１０を設けてもよい。吸引部材１１０は、上ステム４０の上端部に外嵌された取付筒部１１１と、取付筒部１１１の上端部から径方向内側および径方向外側に延びる環状部１１２と、環状部１１２の外周縁から径方向外側に延びる規制部１１３と、環状部１１２の外周縁から上方に延びる筒状の吸引ピストン１１４と、環状部１１２の内周縁から上方に延びるテーパ筒部１１５と、を有している。
【００６１】
規制部１１３は、径方向外側に向かうに従って漸次下方に向けて延びており、上下方向において、ノズル部材７０の第２摺動部７１ａおよび抜け止め部７１ｂの間に位置している。規制部１１３の径方向外端部は、第２摺動部７１ａおよび抜け止め部７１ｂの径方向内端部よりも径方向外側に位置している。この構成により、規制部１１３は、ノズル部材７０の吸引部材１１０に対する所定量以上の上下動を規制する。吸引ピストン１１４およびテーパ筒部１１５は、図２の吸引ピストン４４およびテーパ筒部４３と同様の形状および役割を有している。このような形態であっても、図２に示す実施形態と同様の作用効果を得ることができる。
【００６２】
（第２実施形態）
次に、本発明に係る第２実施形態について説明するが、第１実施形態と基本的な構成は同様である。このため、同様の構成には同一の符号を付してその説明は省略し、異なる点についてのみ説明する。
図６に示すように、本実施形態の吐出ポンプ１Ｂでは、ノズル部材７０に中筒部７５およびノズル付勢体７６が形成されていない。また、上ステム４０の上端部には保持部材６が取り付けられており、保持部材６の上端部には、ノズル部材７０とは別体のノズル付勢体７が取り付けられている。
【００６３】
保持部材６は、ノズル付勢体７をノズル部材７０内で保持している。保持部材６は、上ステム４０の上端部に外嵌された取付筒部６ａと、取付筒部６ａの上端部から径方向内側および径方向外側に延びる環状部６ｂと、環状部６ｂの外周縁から径方向外側に延びる規制部６ｃと、環状部６ｂの外周縁から上方に延びる保持筒部６ｄと、を有している。規制部６ｃは、径方向外側に向かうに従って漸次下方に向けて延びている。規制部６ｃは、上下方向において、ノズル部材７０の第２摺動部７１ａおよび抜け止め部７１ｂの間に位置している。規制部６ｃの径方向外端部は、第２摺動部７１ａおよび抜け止め部７１ｂの径方向内端部よりも径方向外側に位置している。この構成により、規制部６ｃは、ノズル部材７０の保持部材６に対する所定量以上の上下動を規制する。保持筒部６ｄの外周面には、径方向外側に向けて突出する保持突起６ｅが形成されている。
【００６４】
ノズル付勢体７は、例えばゴムやエラストマーなどの、弾性を有する軟材質により形成されている。ノズル付勢体７は、保持筒部６ｄに外嵌された筒状の固定部７ａと、固定部７ａの内周面から径方向内側に突出する嵌合突起７ｂと、固定部７ａの上端開口部を覆うドーム部７ｃと、を有している。固定部７ａの下端部は、下方に向かうに従って漸次拡径しており、第２摺動部７１ａの内周面に気密に当接している。固定部７ａは、第２摺動部７１ａとの間で気密状態を保ったまま、第２摺動部７１ａに対して上下方向に摺動する。嵌合突起７ｂは、保持突起６ｅにアンダーカット嵌合している。ドーム部７ｃは、固定部７ａから上方に突出しており、上方に向けて凸となる薄膜の曲面状に形成されている。ドーム部７ｃの上面は、ノズル部材７０の頂壁部７２に当接している。ドーム部７ｃの前方の部分には、切欠部７ｄが形成されている。切欠部７ｄは、ノズル筒部７３の後端開口部と前後方向で対向しており、ノズル筒部７３内とドーム部７ｃ内とを連通させている。
【００６５】
本実施形態では、ノズル付勢体７がノズル部材７０を上方付勢するとともに、ドーム部７ｃの内部が吸引空間Ｓ２として機能する。ノズル付勢体７による上方付勢力は、付勢部材５による上方付勢力よりも小さい。
図７（ａ）に示すように、トリガー部材１００の操作によりノズル部材７０が下方に押し下げられると、ノズル部材７０が保持部材６に対して下方移動し、ノズル部材７０の頂壁部７２がドーム部７ｃに押し付けられる。これによりドーム部７ｃが弾性変形して、吸引空間Ｓ２の内容積が減少する。
【００６６】
トリガー部材１００の操作を継続すると、規制部６ｃに第２摺動部７１ａが当接し、図７（ｂ）に示すように、ノズル部材７０とともにステム２が下方移動する。これにより、泡状の内容物が、保持部材６内およびドーム部７ｃ内に流入した後、切欠部７ｄを通じてノズル筒部７３に流入し、吐出孔７３ａから吐出される。このように、切欠部７ｄは内容物の流路となる。
【００６７】
トリガー部材１００の操作を解除すると、付勢部材５の上方付勢力によってステム２が上方移動するとともに、ノズル付勢体７の上方付勢力によって、ノズル部材７０が保持部材６に対して上方移動する。これにより、ドーム部７ｃが復元変形するとともに、吸引空間Ｓ２の内容積が増大する。その結果、第１実施形態と同様のバックサクション作用が得られ、吐出孔７３ａ近傍の内容物が吸引空間Ｓ２に向けて吸引される。
以上説明したように、本実施形態の吐出ポンプ１Ｂでも、第１実施形態と同様の作用効果が得られる。
【００６８】
（第３実施形態）
次に、本発明に係る第２実施形態について説明するが、第２実施形態と基本的な構成は同様である。このため、同様の構成には同一の符号を付してその説明は省略し、異なる点についてのみ説明する。
【００６９】
図８に示すように、本実施形態の吐出ポンプ１Ｃでは、ノズル部材７０に第２摺動部７１ａが形成されていない。また、上ステム４０の上端部には保持部材８が取り付けられており、保持部材８はコイルバネであるノズル付勢体９を保持している。また、ノズル部材７０の周壁部７１内には、シールリングＲが嵌合されている。
【００７０】
保持部材８は、上ステム４０の上端部に外嵌された取付筒部８ａと、取付筒部８ａの上端部から径方向内側および径方向外側に延びる環状部８ｂと、環状部８ｂから上方に向けて延びる保持筒部８ｃと、を有している。保持筒部８ｃの径方向内側にはノズル付勢体９が配置されている。ノズル付勢体９の下端部は環状部８ｂに接し、ノズル付勢体９の上端部はノズル部材７０の頂壁部７２に接している。保持筒部８ｃの上端部のうち前方に位置する部分には、切欠き８ｄが形成されている。切欠き８ｄは、ノズル筒部７３の後端開口部と前後方向で対向している。
【００７１】
シールリングＲは、ポンプ軸Ｏと同軸の筒状に形成されている。シールリングＲの下端部は、下方に向かうに従って漸次縮径しており、保持筒部８ｃの外周面に対して気密に当接している。シールリングＲと保持筒部８ｃとは、気密状態を保ちつつ、上下に摺動する。
【００７２】
本実施形態では、コイルバネであるノズル付勢体９がノズル部材７０を上方付勢するとともに、ノズル部材７０内のシールリングＲよりも上方の空間が吸引空間Ｓ２として機能する。ノズル付勢体９による上方付勢力は、付勢部材５による上方付勢力よりも小さい。
図９（ａ）に示すように、トリガー部材１００の操作によりノズル部材７０が下方に押し下げられると、ノズル部材７０が保持部材８に対して下方移動し、吸引空間Ｓ２の内容積が減少する。
トリガー部材１００の操作を継続すると、保持筒部８ｃの上端部にノズル部材７０の頂壁部７２が当接し、ノズル部材７０とともにステム２が下方移動する（図９（ｂ）参照）。これにより、泡状の内容物が保持筒部８ｃ内に流入した後、切欠部８ｄを通じてノズル筒部７３に流入し、吐出孔７３ａから吐出される。このように、保持筒部８ｃの切欠部８ｄは内容物の流路となる。
【００７３】
トリガー部材１００の操作を解除すると、付勢部材５の上方付勢力によってステム２が上方移動するとともに、ノズル付勢体９の上方付勢力によって、ノズル部材７０が保持部材８に対して上方移動する（図９（ｃ）参照）。これにより、吸引空間Ｓ２の内容積が増大し、第１実施形態と同様のバックサクション作用が得られ、吐出孔７３ａ近傍の内容物が吸引空間Ｓ２に向けて吸引される。
以上説明したように、本実施形態の吐出ポンプ１Ｃでも、第１実施形態と同様の作用効果が得られる。
【００７４】
なお、本発明の技術的範囲は前記実施の形態に限定されるものではなく、本発明の趣旨を逸脱しない範囲において種々の変更を加えることが可能である。
【００７５】
例えば、前記実施形態の吐出ポンプ１Ａ〜１Ｃは泡状の内容物を吐出させるフォーマーポンプであったが、内容物を液体のまま吐出させる液体ポンプに本実施形態の構成を適用してもよい。この場合でも、吐出孔から液体の内容物が垂れ落ちるのを抑制することができる。
また、ノズル付勢体７６、７、９の上方付勢力は、付勢部材５の上方付勢力と同等若しくはそれより大きくてもよい。
【００７６】
また、前記実施形態では、吸引空間Ｓ２の内容積を変化させることでバックサクション作用を生じさせたが、収容室Ｓ１と吐出孔７３ａとの間の流路のうち、他の部分の内容積を変化させてもよい。
【００７７】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００７８】
１Ａ〜１Ｃ…吐出ポンプ  ２…ステム  ４…逆止弁  ５…付勢部材  ７、９…ノズル付勢体  １１…空気用シリンダ  １６…液用シリンダ  ２０…空気用ピストン  ６０…発泡部材  ８０…液用ピストン  ３０…装着キャップ  ７０…ノズル部材  ７３…ノズル筒部  ７３ａ…吐出孔  ７６…ノズル付勢体  １００…トリガー部材  １０２…操作部  Ｓ１…収容室  Ｓ２…吸引空間
【図１】
2019064626.tif 000003
【図２】
2019064626.tif 000004
【図３】
2019064626.tif 000005
【図４】
2019064626.tif 000006
【図５】
2019064626.tif 000007
【図６】
2019064626.tif 000008
【図７】
2019064626.tif 000009
【図８】
2019064626.tif 000010
【図９】
2019064626.tif 000011